(57)【特許請求の範囲】
【請求項１】
４色以上のデバイスデータを用いて形成されるカラー画像の異なる出力条件間での色変換方法であって、
各出力条件における４色以上のデバイスデータから測色値への写像を順変換関係として求めるステップ（Ｓ１Ａ、Ｓ１Ｂ）と、
写像先の前記順変換関係において、前記デバイスデータの３色を除く残りの色を所定値に固定し、前記測色値から前記３色の前記デバイスデータへの写像を前記順変換関係の逆変換関係として前記残りの色の所定値毎に求めるステップ（Ｓ２Ｂ）と、
写像元の前記出力条件における任意のデバイスデータに対する測色値を写像元の前記順変換関係から求めるステップ（Ｓ２Ａ）と、
写像元の前記出力条件における前記測色値の明度を、写像先の前記出力条件における写像範囲の明度に変換するステップ（Ｓ４）と、
写像元の前記出力条件における前記残りの色の任意のデバイスデータに対する写像先の前記出力条件における前記逆変換関係を求めるステップ（Ｓ３Ｂ）と、
明度が写像先の前記出力条件における写像範囲に変換された前記測色値に対する写像先の前記出力条件におけるデバイスデータを、前記残りの色の任意のデバイスデータに対する写像先の前記出力条件における前記逆変換関係から求めるステップ（Ｓ５）と、
からなることを特徴とする色変換方法。
【請求項２】
請求項１記載の方法において、
前記出力条件は、印刷条件であることを特徴とする色変換方法。
【請求項３】
請求項１記載の方法において、
前記デバイスデータは、デバイスデータＣ、Ｍ、Ｙ、Ｋであり、前記残りの色がデバイスデータＫに係る色であることを特徴とする色変換方法。
【請求項４】
請求項１記載の方法において、
前記測色値は、ＣＩＥ表色系における測色値Ｌ*、ａ*、ｂ*であることを特徴とする色変換方法。
【請求項５】
請求項１記載の方法において、
測色値に対する写像先の前記出力条件におけるデバイスデータは、前記デバイスデータを構成する前記残りの色のデバイスデータに最も近い前記所定値に対する前記逆変換関係から求めることを特徴とする色変換方法。
【請求項６】
請求項１記載の方法において、
測色値に対する写像先の前記出力条件におけるデバイスデータは、前記デバイスデータを構成する前記残りの色のデバイスデータの前後の前記所定値に対する前記逆変換関係から補間処理により求めることを特徴とする色変換方法。
【請求項７】
請求項６記載の方法において、
前記補間処理は、写像元のデバイスデータにより構成される画像の特性に従って重み付け処理されることを特徴とする色変換方法。
【発明の詳細な説明】
【０００１】
【発明の属する技術分野】
本発明は、４色以上のデバイスデータ、例えば、デバイスデータＣ、Ｍ、Ｙ、Ｋを、出力条件の異なるデバイスデータＣ、Ｍ、Ｙ、Ｋに変換する色変換方法に関する。
【０００２】
【従来の技術】
印刷物やＣＲＴ等の出力媒体に対してカラー画像を出力する画像出力装置では、Ｃ、Ｍ、Ｙ、Ｋや、Ｒ、Ｇ、Ｂのデバイスデータに基づいて、網％の面積変調や濃度変調を前記出力媒体上で実現することにより、前記カラー画像を再現している。この場合、再現されるカラー画像の色特性は、使用する色材や出力媒体（出力用紙、蛍光体等）の性質、あるいは、その他の印刷条件等からなる出力条件に依存している。
【０００３】
このような出力条件に対応して、所望のカラー画像を得ることのできるデバイスデータを求める方法が種々提案されている。例えば、特開平３−１３１９２０号公報に記載された技術のように、特定のプリンタや印刷条件下で予め求めた色変換テーブルを利用して直接写像変換を行うことによりデバイスデータを求める方法や、特開平４−３６２８６９号公報に記載された技術のように、異なる画像出力装置の測色値が一致するようにマスキング処理の係数の最尤解を求め、この係数を用いてデバイスデータを得るようにした方法がある。
【０００４】
ところで、カラー印刷物を作成するような画像出力装置においては、出力する画像に対して種々のバリエーションが求められる。例えば、色材や出力媒体を選択し、且つ、前記色材の量を調整することで所望の画像が得られるようにする作業が要求される。しかしながら、前述した従来技術では、このような要請に対応した高精度な色変換を行うことは困難である。
【０００５】
すなわち、カラー印刷物を作成する場合、一般にデバイスデータとしてＣ、Ｍ、Ｙ、Ｋの４色が使用される。従って、例えば、写像元のデバイスデータＣ、Ｍ、Ｙ、Ｋを出力条件の異なる写像先のデバイスデータＣ′、Ｍ′、Ｙ′、Ｋ′に変換するためには、一旦デバイスデータＣ、Ｍ、Ｙ、Ｋをデバイスに依存しないＬ＊  、ａ＊  、ｂ＊  等の測色値に変換した後、前記測色値からデバイスデータＣ′、Ｍ′、Ｙ′、Ｋ′に変換する必要がある。この場合、測色値が３変数であるのに対して、デバイスデータが４変数であるため、前述した従来技術では、高精度な変換関係を得ることができない。特に、印刷物においては、グレー等の注目色を保存し、且つ、他の色の犠牲が少なくなるような変換関係を求めなければならず、そのために多大な労力を払ってセットアップ作業を行っているのが現状である。
【０００６】
【発明が解決しようとする課題】
本発明は、前記の不具合を考慮してなされたものであり、出力条件の異なる４色以上のデバイスデータ間において、極めて容易に色変換し、所望の色を得ることのできる色変換方法を提供することを目的とする。
【０００７】
【課題を解決するための手段】
本発明に係る色変換方法は、４色以上のデバイスデータを用いて形成されるカラー画像の異なる出力条件間での色変換方法であって、
各出力条件における４色以上のデバイスデータから測色値への写像を順変換関係として求めるステップ（Ｓ１Ａ、Ｓ１Ｂ）と、
写像先の前記順変換関係において、前記デバイスデータの３色を除く残りの色を所定値に固定し、前記測色値から前記３色の前記デバイスデータへの写像を前記順変換関係の逆変換関係として前記残りの色の所定値毎に求めるステップ（Ｓ２Ｂ）と、
写像元の前記出力条件における任意のデバイスデータに対する測色値を写像元の前記順変換関係から求めるステップ（Ｓ２Ａ）と、
写像元の前記出力条件における前記測色値の明度を、写像先の前記出力条件における写像範囲の明度に変換するステップ（Ｓ４）と、
写像元の前記出力条件における前記残りの色の任意のデバイスデータに対する写像先の前記出力条件における前記逆変換関係を求めるステップ（Ｓ３Ｂ）と、
明度が写像先の前記出力条件における写像範囲に変換された前記測色値に対する写像先の前記出力条件におけるデバイスデータを、前記残りの色の任意のデバイスデータに対する写像先の前記出力条件における前記逆変換関係から求めるステップ（Ｓ５）と、
からなることを特徴とする。
【０００８】
この場合、デバイスデータの変換処理を行う際、デバイスデータの３色を除く残りの色、例えば、デバイスデータＫに応じて逆変換関係を選択し、あるいは、補間した後、その関係を用いて前記３色のデバイスデータの変換を行うようにしているため、４色以上のデバイスデータ間での変換処理を極めて容易、迅速且つ高精度に行うことができる。
【０００９】
【発明の実施の形態】
図１は、本発明の実施形態である色変換方法の全体フローチャートを示す。以下の説明においては、所定のインクや印刷用紙、印圧等の印刷条件である出力条件Ａで印刷物を作成する画像出力装置における写像元のデバイスデータＣ、Ｍ、Ｙ、Ｋを、再現域（Ｇａｍｕｔ  ）等の色再現特性が前記出力条件Ａとは異なる印刷条件である出力条件Ｂで印刷物を作成する他の画像出力装置における写像先のデバイスデータＣ′、Ｍ′、Ｙ′、Ｋ′に変換する場合について説明する。なお、デバイスデータとしては、Ｃ、Ｍ、Ｙ、Ｋ以外の特定の色（特色）を含む場合であってもよく、また、Ｃ、Ｍ、Ｙ、Ｋ以外の組み合わせであってもよい。
ステップＳ１Ａ、Ｓ１Ｂ
先ず、各出力条件ＡおよびＢにおいて、デバイスデータＣ、Ｍ、Ｙ、Ｋ（以下、必要に応じてデバイスデータＣＭＹＫ等と記す。）からデバイスに依存しない測色値Ｌ＊  、ａ＊  、ｂ＊  （以下、必要に応じて測色値Ｌａｂと記す。）を導く順変換関数ＨＡ  およびＨＢ  （順変換関係）を求める。この場合、ＣＩＥ表色系の測色値Ｌａｂ以外に、測色値Ｌ＊  、ｕ＊  、ｖ＊  、三刺激値Ｘ、Ｙ、Ｚ等のデバイスに依存しない共通色空間データを用いて順変換関係を求めるようにしてもよい。
【００１０】
順変換関数ＨＡ  を求めるためには、例えば、出力条件Ａに設定された画像出力装置を用いて、デバイスデータＣＭＹＫを１０％ずつ変えて複数のカラーパッチを作成し、その測色値Ｌａｂを測色計を用いて測定することにより、規則格子上のデバイスデータＣＭＹＫから不規則格子上の測色値Ｌａｂへの写像を求める。次いで、このようにして求められた写像関係から、誤差を最小化する最尤二乗法等を用いることで、
Ｌａｂ＝ＨＡ  （ＣＭＹＫ）
として、任意のデバイスデータＣＭＹＫから測色値Ｌａｂを求めることのできる順変換関数ＨＡ  が得られる。
【００１１】
例えば、最尤二乗法では、デバイスデータＣＭＹＫと測色値Ｌａｂとの関係は、例えば、カラーパッチのデバイスデータＣＭＹＫをＣ１、Ｍ１、Ｙ１、Ｋ１、…、Ｃｋ、Ｍｋ、Ｙｋ、Ｋｋとし、それに対する測色値ＬａｂをＬ１、ａ１、ｂ１、…、Ｌｋ、ａｋ、ｂｋとし、これらを線形結合する係数をａ０、ａ１、…、ａｍとし、
【００１２】
【数１】
0003596584.tif 000002
【００１３】
と定義した場合、測色値Ｌ＊  とデバイスデータＣＭＹＫとの関係をＶＬ＝ＭＬ・ＡＬとすることができる。同様に、測色値ａ＊  とデバイスデータＣＭＹＫとの関係および測色値ｂ＊  とデバイスデータＣＭＹＫとの関係をＶａ＝Ｍａ・Ａａ、Ｖｂ＝Ｍｂ・Ａｂとすることができる。
【００１４】
ここで、最尤解ＡＬを求めた場合の誤差をｅとし、行列ＶＬの転置行列をＶＬＴ  とすると、誤差ｅは、
0003596584.tif 000003
と表される。この誤差ｅを最小にする最尤解ＡＬは、
ＡＬ＝（ＭＬＴ  ・ＭＬ）・ＭＬＴ  ・ＶＬ
として求められる。最尤解Ａａ、Ａｂも同様にして求めることができる。これらの最尤解ＡＬ、Ａａ、Ａｂを用いて、任意のデバイスデータＣＭＹＫから測色値Ｌａｂを求めることのできる順変換関数ＨＡ  が得られる。
【００１５】
同様に、出力条件Ｂに設定された画像出力装置を用いてカラーパッチを作成し、測色値Ｌａｂを測定した後、誤差を最小化する最尤二乗法等を用いることで、
Ｌａｂ＝ＨＢ  （Ｃ′Ｍ′Ｙ′Ｋ′）
として、任意のデバイスデータＣ′Ｍ′Ｙ′Ｋ′から測色値Ｌａｂを求めることのできる順変換関数ＨＢ  が得られる。
ステップＳ２Ｂ
次に、ステップＳ１Ｂで求めた順変換関数ＨＢ  において、デバイスデータＫ′を所定値に固定し、
Ｃ′Ｍ′Ｙ′＝ＨＢＫ−１（Ｌａｂ）
として、任意の測色値ＬａｂからデバイスデータＣ′Ｍ′Ｙ′を得る逆変換関数ＨＢＫ−１（逆変換関係）を各デバイスデータＫ′毎に求める。なお、デバイスデータＫ′毎の複数の逆変換関数ＨＢＫ−１の集合を逆変換関数ユニットＧと定義する。
【００１６】
この場合、デバイスデータＣ′Ｍ′Ｙ′から得られる測色値Ｌａｂは、一般に不規則格子上に配置されており、任意の測色値Ｌａｂに対するデバイスデータＣ′Ｍ′Ｙ′を単純に逆演算しても求めることができないため、逐次近似法等を用いて逆変換関数ＨＢＫ−１を求める。
【００１７】
以下に、逐次近似法の代表例であるニュートン法を用いた逆変換関数ＨＢＫ−１の算出方法を説明する。
【００１８】
先ず、測色値Ｌａｂの任意の目標値をＬ０＊  、ａ０＊  、ｂ０＊  とし、繰り返し演算での許容誤差をΔＥｍｉｎとする。次いで、デバイスデータＣ′Ｍ′Ｙ′の既知の初期値をＣ１、Ｍ１、Ｙ１と設定し、ステップＳ１Ｂで求めた順変換関数ＨＢ  を用いて、デバイスデータＣ１、Ｍ１、Ｙ１に対する測色値Ｌ１＊  、ａ１＊  、ｂ１＊  を求める。そして、目標値である測色値Ｌ０＊  、ａ０＊  、ｂ０＊  と、前記測色値Ｌ１＊  、ａ１＊  、ｂ１＊  との誤差ΔＥを算出し、許容誤差ΔＥｍｉｎと比較する。この場合、｜ΔＥ｜＜ΔＥｍｉｎでなければ、修正値ΔＣ、ΔＭ、ΔＹを算出して初期値Ｃ１、Ｍ１、Ｙ１を修正し、前記の処理を繰り返す。
【００１９】
なお、前記修正値ΔＣ、ΔＭ、ΔＹは、次のようにして求めることができる。すなわち、デバイスデータＣ′Ｍ′Ｙ′に対する測色値Ｌａｂが微小範囲内で線形であると仮定すると、修正値ΔＣ、ΔＭ、ΔＹと測色値Ｌａｂの微小変化量ΔＬ＊  、Δａ＊  、Δｂ＊  とは、
【００２０】
【数２】
0003596584.tif 000004
【００２１】
の関係を満たすことになる。なお、Ｊはヤコビアン行列である。従って、修正値ΔＣ、ΔＭ、ΔＹは、
【００２２】
【数３】
0003596584.tif 000005
【００２３】
として求められる。
【００２４】
以上のようにして繰り返し演算を行うことにより、任意の測色値ＬａｂからデバイスデータＣ′Ｍ′Ｙ′を求めることのできる逆変換関数ＨＢＫ−１が得られる。
【００２５】
ここで、前述したニュートン法による逐次近似法で逆変換関数ＨＢＫ−１を算出する際、その演算途中において算出される測色値ＬａｂおよびデバイスデータＣ′Ｍ′Ｙ′が当該画像出力装置の色再現域外となる場合があるため、このような色再現域外の測色値ＬａｂおよびデバイスデータＣ′Ｍ′Ｙ′を予めノイゲバウア式等に代表される線形結合式を用いて仮想データとして設定しておく必要がある。
【００２６】
そこで、ノイゲバウア式を用いて前記仮想データを設定する方法を説明する。説明を簡単にするために、例えば、印刷用紙上にＣおよびＭのインクに基づいて画像が形成されるものとする。前記印刷用紙の測色値ＬａｂをＤｗ、Ｃのインクの測色値ＬａｂをＤｃ、Ｍのインクの測色値ＬａｂをＤｍとし、デバイスデータＣに基づくＣの色の網点面積比をｃ、デバイスデータＭに基づくＭの色の網点面積比をｍとすると、得られる測色値Ｓは、
Ｓ＝Ｄｗ・（１−ｃ）・（１−ｍ）＋Ｄｃ・ｃ・（１−ｍ）＋Ｄｍ・ｍ・（１−ｃ）＋Ｄｃ・Ｄｍ・ｍ・ｃ
として求めることができる。なお、Ｄｗ、Ｄｃ、ＤｍおよびＳは、測色値Ｌ＊  、ａ＊  、ｂ＊  毎に設定されるものとする。
【００２７】
また、前記の測色値Ｓを求めるノイゲバウア式に対して、さらに、印刷特有の階調再現特性（ドットゲイン）やインク間の非加算的な特性（トラッピング）を考慮した補正を加えることで、より現実的な印刷系に近い仮想データを設定することができる。例えば、単色に対するドットゲインは、ユール（Ｙｕｌｅ）とニールセン（Ｎｉｅｌｓｅｎ  ）による補正式やマレイ（Ｍｕｒｒａｙ）とデービス（Ｄａｖｉｅｓ）による補正式、あるいは、単純な多項式近似による補正式を用いて補正することができる。具体的には、Ｃの色に対するドットゲインの補正式をｄｃ（ｃ）、Ｍの色に対するドットゲインの補正式をｄｍ（ｍ）として、前記ノイゲバウア式において、ｃ＝ｄｃ（ｃ）、ｍ＝ｄｍ（ｍ）に置換することで、ドットゲインを考慮した仮想データを得ることができる。また、各インクの色の測色値Ｌａｂがトラッピング等により変化する場合には、例えば、Ｃの色に対する変化を関数ｊｃ（Ｄｃ，ｃ）、Ｍの色に対する変化を関数ｊｍ（Ｄｍ，ｍ）として、前記ノイゲバウア式において、Ｄｃ＝ｊｃ（Ｄｃ，ｃ）、Ｄｍ＝ｊｍ（Ｄｍ，ｍ）に置換することで、トラッピング考慮した仮想データを得ることができる。
【００２８】
さらに、前記仮想データは、上述したノイゲバウア式を用いる代わりに、既知の測色値ＬａｂとデバイスデータＣ′Ｍ′Ｙ′Ｋ′との関係より、最尤二乗法等の線形計画法を用いて求めることもできる。
【００２９】
次に、以上のようにして準備された順変換関数ＨＡ  および逆変換関数ＨＢＫ−１を用いて、出力条件Ａにおける任意のデバイスデータＣＭＹＫを出力条件ＢのデバイスデータＣ′Ｍ′Ｙ′Ｋ′に変換する処理について、図２の模式図に従って説明する。
ステップＳ２Ａ
先ず、出力条件Ａの任意のデバイスデータＣＭＹＫに対する測色値ＬａｂをステップＳ１Ａで求めた順変換関数ＨＡ  を用いて求める。
ステップＳ３Ｂ
一方、出力条件ＢのデバイスデータＣ′Ｍ′Ｙ′Ｋ′に対して任意に設定されるデバイスデータＫ′に対応する逆変換関数ＨＢＫ−１を逆変換関数ユニットＧから選択する。この場合、デバイスデータＫ′に対応する逆変換関数ＨＢＫ−１がないときには、デバイスデータＫ′に隣接する逆変換関数ＨＢＫ−１、例えば、Ｋｔ≦Ｋ′≦Ｋｓの関係にある逆変換関数ＨＢＫｔ  −１あるいは逆変換関数ＨＢＫｓ  −１を選択する。なお、デバイスデータＫ′は、出力条件ＡのデバイスデータＫに等しく設定してもよい。また、補間する場合の処理については、後述する。
ステップＳ４
ここで、ステップＳ２Ａで求めた測色値Ｌａｂと、ステップＳ３Ｂで選択した逆変換関数ＨＢＫ−１とから、出力条件ＢでのデバイスデータＣ′Ｍ′Ｙ′を求める処理（ステップＳ５）に先立ち、出力条件Ａと出力条件Ｂとの間での写像可能な範囲の調整を行う。
【００３０】
すなわち、各出力条件ＡおよびＢの画像出力装置において、出力可能な画像の最大濃度および最小濃度は、使用するインクや印刷用紙の濃度によって決定されており、その範囲外の濃度からなる画像を形成することはできない。例えば、図３の（ａ）に示すように、出力条件Ａでは、範囲ａの濃度で画像を作成することができる。また、図３の（ｃ）に示すように、出力条件Ｂでは、範囲ｂの濃度で画像を作成することができる。そこで、これらの出力条件ＡおよびＢの間で写像可能な範囲を調整するため、図３の（ｂ）に示す階調変換カーブＰを設定する。なお、この階調変換カーブＰは、出力条件Ａでの測色値Ｌａｂ（明度Ｌ＊  ）を出力条件Ｂでの測色値Ｌａｂ（明度Ｌ＊  ）に変換するものであり、そのカーブ形状を調整することにより、出力条件Ｂでの画像の階調を任意に調整することが可能である。
【００３１】
そこで、前記のように設定された階調変換カーブＰを用いて、ステップＳ２Ａで求めた出力条件Ａの任意のデバイスデータＣＭＹに対する測色値Ｌａｂを出力条件Ｂの写像範囲の測色値Ｌａｂに変換する。
ステップＳ５
次に、ステップＳ３Ｂで選択した逆変換関数ＨＢＫ−１に対して、前記のようにして求められた測色値Ｌａｂを適用することで、出力条件ＢでのデバイスデータＣ′Ｍ′Ｙ′Ｋ′を求める。
【００３２】
図３の（ｄ）は、出力条件Ａでの任意のデバイスデータＣＭＹＫと、デバイスデータＣＭＹＫから以上のようにして求められた出力条件ＢでのデバイスデータＣ′Ｍ′Ｙ′Ｋ′との関係を示したものである。なお、図３の（ｄ）の関係をデバイスデータＫ毎に設定しておき、直接、デバイスデータＣＭＹＫからデバイスデータＣ′Ｍ′Ｙ′Ｋ′を求めるようにしてもよい。
【００３３】
以上のようにして、写像元のデバイスデータＣＭＹＫから写像先のデバイスデータＣ′Ｍ′Ｙ′Ｋ′を容易且つ高精度に求めることができる。
【００３４】
次に、ステップＳ３Ｂにおいて、逆変換関数ＨＢＫ−１をデバイスデータＫ′に応じて補間する場合について説明する。
【００３５】
先ず、補間処理の方法として、出力条件ＢでのデバイスデータＫ′に従って逆変換関数ＨＢＫ−１を内分計算によって求める場合、例えば、デバイスデータＫ′の前後にあるデバイスデータＫｔおよびＫｓ（Ｋｔ≦Ｋ′≦Ｋｓ）に対応する逆変換関数ＨＢＫｔ  −１およびＨＢＫｓ  −１を逆変換関数ユニットＧから選択する。次いで、これらの逆変換関数ＨＢＫｔ  −１およびＨＢＫｓ  −１を（Ｋｓ−Ｋ′）：（Ｋ′−Ｋｔ）の内分比率で内分処理することにより、デバイスデータＫ′に対応する新たな逆変換関数ＨＢＫ−１を求める。そして、この逆変換関数ＨＢＫ−１を用いて、測色値ＬａｂからデバイスデータＣ′Ｍ′Ｙ′への写像を求めることができる。
【００３６】
また、内分計算をするにあたり、内分比率を出力条件ＡのデバイスデータＣＭＹＫの測色値Ｌａｂである明度Ｌ＊  に基づいて設定するようにしてもよい。
【００３７】
例えば、出力条件Ａにおける順変換関数ＨＡ  （ステップＳ１Ａで設定されている。）を用いて、出力条件ＡのデバイスデータＣＭＹＫの明度Ｌ＊  を求め、この明度Ｌ＊  に対する内分比率αを図４に示すように設定されたテーブルａ１〜ａ３から所望の特性のテーブルを選択して決定する。具体的には、例えば、出力条件ＢのデバイスデータＣ′Ｍ′Ｙ′は、テーブルａ１〜ａ３によって決定した内分比率αにより、
Ｃ′Ｍ′Ｙ′＝α・ｇＫｓ＋（１−α）・ｇＫｔ
として求められる。この場合、明度Ｌ＊  が低いほどデバイスデータＫ′が増え、デバイスデータＣ′Ｍ′Ｙ′が減少することになる。
【００３８】
さらに、出力条件ＡのデバイスデータＣＭＹＫの明度Ｌ＊  や彩度のヒストグラムを用いて、例えば、明るい画像に対しては内分比率が小さくなるようにし、暗い画像に対しては内分比率が大きくなるように動的に設定するようにしてもよい。具体的には、内部比率のテーブルを多項式で近似し、そのカーブの形状をヒストグラムの値と相関させて変更する方法が考えられる。
【００３９】
さらにまた、デバイスデータＣ′Ｍ′Ｙ′Ｋ′のオブジェクト属性に基づき、例えば、デバイスデータＣ′Ｍ′Ｙ′Ｋ′が文字画像に係るものであれば内分比率αを１に固定し、その他の画像に対しては、前述したように内分比率を画像に応じて設定するようにしてもよい。
【００４０】
なお、上述した実施形態では、写像元の４色のデバイスデータＣＭＹＫを写像先の４色のデバイスデータＣ′Ｍ′Ｙ′Ｋ′に変換する場合について説明したが、５色以上のデバイスデータ間においても、同様にして色変換を行うことができる。例えば、デバイスデータがＣ、Ｍ、Ｙ、Ｋ、Ｂの５色であるとすると、デバイスデータＫ、Ｂを固定し、残りの３色のデバイスデータＣＭＹについて順変換関係、逆変換関係等を前記デバイスデータＫ、Ｂの組み合わせ毎に求め、それに基づいてデバイスデータＣＭＹＫＢ間の色変換を行うようにすればよい。
【００４１】
【発明の効果】
以上説明したように、本発明に係る色変換方法によれば、出力条件の異なる４色以上のデバイスデータ間において、変換関係をデバイスデータの３色を除く残りの色毎に設定することにより、極めて簡易且つ迅速に写像を行うことができる。しかも、前記変換関係の設定されていない前記残りの色に関しては、その間を補間処理することで求めることができるので、それによって高精度な写像も実現される。また、前記補間処理を写像元の画像の特徴に応じて調整することで、写像先において所望の色調からなる画像を容易に得ることができる。
【図面の簡単な説明】
【図１】本実施形態の色変換方法の全体フローチャートである。
【図２】本実施形態の色変換方法において、順変換関係および逆変換関係を用いた変換関係の説明図である。
【図３】本実施形態の色変換方法におけるデバイスデータの変換関係の説明図である。
【図４】本実施形態の色変換方法における変換関係の内分比率を設定するテーブルの説明図である。
【図１】
0003596584.tif 000006
【図２】
0003596584.tif 000007
【図３】
0003596584.tif 000008
【図４】
0003596584.tif 000009